(57)【要約】【課題】タンク側制御装置の異常動作時、停電時にも圧縮機などの各アクチュエータが運転を継続し、ヒートポンプ給湯機が故障するのを防止する。【解決手段】ヒートポンプ側に電源電圧を検出する電源電圧検出手段１７と、前記電源電圧検出手段１７により検出された電源電圧を読み取り、ヒートポンプ側を制御する制御部１５を備え、電源電圧が所定の電源電圧以下であることを検出した場合前記制御部１５において停電と判断し圧縮機１６など各アクチュエータの運転を停止させることにより、タンク側に依存することなく停電検知を行なうことが可能となるので、ヒートポンプ給湯機の破壊をより確実に防止することができる。【選択図】図１
2009168264.tif 000002
【特許請求の範囲】
【請求項１】
圧縮機、給湯用熱交換器、膨張弁、及び蒸発器を配管で接続したヒートポンプ回路（以下、ヒートポンプ側）と貯湯槽、流体循環ポンプを配管で接続した流体回路（以下、タンク側）を有するヒートポンプ式給湯機において、ヒートポンプ側に電源電圧を検出する電源電圧検出手段と、前記電源電圧検出手段により検出された電源電圧を基に前記圧縮機などの各アクチュエータの運転を制御する制御部とを備え、前記電源電圧検出手段において電源電圧が所定の電源電圧以下であることを検出した場合、前記制御部において停電と判断し圧縮機など各アクチュエータの運転を停止させることによりタンク側に依存することなく停電検知を行なうことを特徴とするヒートポンプ式給湯機の制御装置。
【請求項２】
前記電源電圧検出手段をＡＣ入力ラインの接続により発生するＤＣ電圧に接続された抵抗器によって構成し、前記制御部はこの抵抗器によって分圧された電圧値により停電か否かを判断することとした請求項１に記載のヒートポンプ式給湯機の制御装置。
【請求項３】
前記制御部は電圧値が所定の電圧を一定の期間下回ったときに停電と判定する制御とすることにより、外部ノイズなどの外乱が生じた場合においても停電を誤検知することなく真の停電時のみ停電と判断することとした請求項１または２に記載のヒートポンプ式給湯機の制御装置。
【発明の詳細な説明】
【技術分野】
【０００１】
本発明は、ヒートポンプ側とタンク側に分離されたヒートポンプ式給湯機の保護制御に関するものである。
【背景技術】
【０００２】
従来、この種のヒートポンプ式給湯機の制御装置は、商用電源の供給が停電などにより停止した場合にはタンク側にて停電検知を行ない、タンク側制御装置よりヒートポンプ側制御装置へ停止信号を送信し、ヒートポンプの運転を停止する制御となっている。
【０００３】
図４は、特許文献１に記載された従来のヒートポンプ式給湯機の制御装置を示すものである。図４に示すように、タンク側とヒートポンプ側とに分かれているヒートポンプ式給湯機の各部への通電を行なう電源スイッチ１１と、前記電源スイッチ１１が入れられると商用電源１２が供給されるタンク側制御装置１３およびヒートポンプ側制御装置１４と、前記ヒートポンプ側制御装置１４内の制御部１５からの運転指示により運転を行なう圧縮機１６から構成されている。
【特許文献１】特開２００５−２４９２９３号公報
【発明の開示】
【発明が解決しようとする課題】
【０００４】
しかしながら、上記従来の構成では停電検知がタンク側制御装置に依存し、タンク側制御装置の異常動作時にはヒートポンプ側制御装置では停電を検知することができないため、停電中においてもヒートポンプの運転が継続され、結果として停電復帰時にはヒートポンプ給湯機を故障に至らしめるという課題を有していた。
【０００５】
本発明は、このような従来の課題を解決するものであり、タンク側制御装置に依存することなくヒートポンプ側で停電を検知し、停電時には圧縮機などの各アクチュエータを安全に停止させることにより、ヒートポンプ給湯機を保護することを可能にしたヒートポンプ式給湯機の制御装置を提供することを目的とする。
【課題を解決するための手段】
【０００６】
前記従来の課題を解決するために、本発明の制御装置は、電源電圧を検出する電源電圧検出手段と、前記電源電圧検出手段により検出された電源電圧を検知する制御部とを備え、前記電源電圧検出手段において電源電圧が所定の電源電圧以下であることを検出した場合、前記制御部において停電と判断し圧縮機など各アクチュエータの運転を停止させることとしたものである。これによって、タンク側に依存することなく停電検知を行なうことを可能とし、ヒートポンプ給湯機の破壊をより確実に防止することができる。
【発明の効果】
【０００７】
本発明のヒートポンプ式給湯機の制御装置は、電源電圧を検出する電源電圧検出手段と、前記電源電圧検出手段により検出された電源電圧を検知する制御部とを備え、前記電源電圧検出手段において電源電圧が所定の電源電圧以下であることを検出した場合前記制御部において停電と判断し圧縮機など各アクチュエータの運転を停止させることにより、タンク側に依存することなく停電検知を行なうことでヒートポンプ給湯機の破壊をより確実に防止することができる。
【発明を実施するための最良の形態】
【０００８】
第１の発明のヒートポンプ式給湯機の制御装置は、電源電圧を検出する電源電圧検出手
段と、前記電源電圧検出手段により検出された電源電圧を検知する制御部とを備え、前記電源電圧検出手段において電源電圧が所定の電源電圧以下であることを検出した場合前記制御部において停電と判断し、圧縮機など各アクチュエータの運転を停止させることにより、タンク側に依存することなく停電検知を行なうことを可能とし、ヒートポンプ給湯機の破壊をより確実に防止することができる。
【０００９】
第２の発明は、特に、第１の発明のヒートポンプ式給湯機の制御装置をＡＣ入力ラインの接続により発生するＤＣ電圧に接続された抵抗器によって構成することにより、第1の発明と同様な効果の他に電源電圧検出手段を耐電圧の低い低コスト部品で構成することができる。
【００１０】
第３の発明は、特に、第１の発明のヒートポンプ式給湯機の制御装置において、制御部により電圧値が所定の電圧を一定の期間下回ったときに停電と判定する制御とすることにより、外部ノイズなどの外乱が生じた場合においても停電を誤検知することなく真の停電時のみ停電と判断することができる。
【００１１】
（実施の形態１）
図１は、本発明の第１の実施の形態におけるヒートポンプ式給湯機の制御装置の回路構成図を示すものである。
【００１２】
図１において、１２は商用電源、１６は圧縮機、１５はヒートポンプ側全体の制御を行う制御部、１７は商用電源１２の電圧値を検出する電源電圧検出手段である。
【００１３】
以上のように構成されたヒートポンプ式給湯機の制御装置について、以下その動作、作用を説明する。
【００１４】
ヒートポンプ運転時、商用電源１２の電圧値を電源電圧検出手段１７が検出し、その検出値を制御部１５が読み取る。この時、制御部１５の読み取った電圧が所定の範囲以下であるとき、制御部１５は停電が発生したと判断し、圧縮機１６など各アクチュエータの運転を停止させる。
【００１５】
以上のように、本実施の形態においてはヒートポンプ側で検出された電源電圧値により停電判定を行なう構成とすることにより、タンク側に依存することなく停電検知を行なうことが可能となりヒートポンプ給湯機の破壊をより確実に防止することができる。
【００１６】
（実施の形態２）
図２は、本発明の第２の実施の形態におけるヒートポンプ式給湯機の制御装置の回路構成図を示したものである。図２において、ＤＣ電圧に接続された抵抗器１８と抵抗器１９により電源電圧検出手段を構成し、それらは制御部１５と有機的に関連して停電検知回路を構成している。
【００１７】
以上のように構成されたヒートポンプ式給湯機の制御装置について、以下その動作、作用を説明する。
【００１８】
実施の形態１と同様、ヒートポンプ運転時、ＤＣ電圧に接続された抵抗器１８と抵抗器１９により構成された電源電圧検出手段により商用電源１２の電圧値を検出し、その検出値を制御部１５が読み取る。この時、制御部１５の読み取った電圧が所定の範囲以下であるとき、制御部１５は停電が発生したと判断し、圧縮機１６など各アクチュエータの運転を停止させる。
【００１９】
以上のように、本実施の形態においてはＤＣ電圧に接続された抵抗器により停電検知回路を構成することにより、ンク側に依存することなく停電検知を行なうとともに電源電圧検出手段を耐電圧の低い部品で構成できるためコストの低減を図ることができる。
【００２０】
（実施の形態３）
図３は、本発明の第３の実施の形態のヒートポンプ式給湯機の制御装置のフローチャートである。以下その動作、作用を説明する。
【００２１】
実施の形態１もしくは実施の形態２のヒートポンプ式給湯機の制御装置において、電源電圧検出手段１７もしくはＤＣ電圧に接続された抵抗器１８と抵抗器１９により構成された電源電圧検出手段により検出された電圧値が所定の電圧を一定の期間下回ったときに制御部１５は停電と判断し、圧縮機１６など各アクチュエータの運転を停止させる。
【００２２】
以上のように、電源電圧検出手段により検出された電圧値が所定の電圧を一定の期間下回ったときに停電と判断することにより、外部ノイズなどの外乱が生じた場合においても停電を誤検知することなく真の停電時のみ停電と判断することができる。
【産業上の利用可能性】
【００２３】
以上のように、本発明にかかるヒートポンプ式給湯機の制御装置は、タンクに依存することなく停電を検知し圧縮機などの各アクチュエータの運転を停止させることにより、インバータ回路などの被保護回路の破壊を防止することが可能となるため、ＡＣ入力ラインを接続／遮断するスイッチ手段を備えた空気調和機や給湯機などに適応できる。
【図面の簡単な説明】
【００２４】
【図１】本発明実施の形態１におけるヒートポンプ式給湯機の制御装置の回路構成図
【図２】本発明実施の形態２におけるヒートポンプ式給湯機の制御装置の回路構成図
【図３】本発明実施の形態３におけるヒートポンプ式給湯機の制御装置のフローチャート
【図４】従来のヒートポンプ式給湯機の制御装置の回路構成図
【符号の説明】
【００２５】
１１  電源スイッチ
１２  商用電源
１３  タンク側制御装置
１４  ヒートポンプ側制御装置
１５  制御部
１６  圧縮機
１７  電源電圧検出手段
１８  抵抗器
１９  抵抗器
【図１】
2009168264.tif 000003
【図２】
2009168264.tif 000004
【図３】
2009168264.tif 000005
【図４】
2009168264.tif 000006